(57)【要約】【課題】両面孔版印刷装置においてインキ調整のための捨て印刷を行う際に、使用する印刷用紙の枚数をより軽減しつつ、印刷用紙面に転移されたインキによる用紙搬送経路の汚れを防止すること。【解決手段】用紙への印刷に用いられるインキの粘度を調整するに際して、用紙を搬送する搬送部と接する用紙の領域にインキを付着させない両面製版マスタの製版を制御し、インキの粘度を調整するに際して製版された両面製版マスタに基づき、１枚の用紙の同一面上に少なくとも２回以上、画像を印刷するよう両面孔版印刷装置の各部の駆動を制御することを特徴とする。【選択図】図１０
2016221776.tif 000002
【特許請求の範囲】
【請求項１】
用紙の表面に印刷するための画像である表面画像及び前記用紙の裏面に印刷するための画像である裏面画像を孔版原紙に副走査方向に並べて穿孔製版された両面製版マスタを装着した版胴に前記用紙を給紙して押圧し、前記用紙の一方の面に前記表面画像を印刷し、前記表面画像が印刷された前記用紙を前記版胴に再給紙して押圧し、前記表面画像が印刷された前記用紙の他方の面に前記裏面画像を印刷する両面孔版印刷装置であって、
前記用紙への印刷に用いられるインキの粘度を調整するに際して、前記用紙を搬送する搬送部と接する前記用紙の領域に前記インキを付着させない前記両面製版マスタの製版を制御する製版制御部と、
前記インキの粘度を調整するに際して製版された前記両面製版マスタに基づき、１枚の前記用紙の同一面上に少なくとも２回以上、前記画像を印刷するよう前記両面孔版印刷装置の各部の駆動を制御するインキ調整制御部と
を含むことを特徴とする両面孔版印刷装置。
【請求項２】
前記インキ調整制御部は、前記１枚の用紙の同一面上への印刷回数に応じて、前記用紙への印刷速度を設定する
ことを特徴とする請求項１に記載の両面孔版印刷装置。
【請求項３】
前記インキ調整制御部は、
前記両面孔版印刷装置における用紙の給排紙性能に影響を及ぼす環境状態を示す環境情報を取得し、
取得した前記環境情報に基づいて、前記１枚の用紙の同一面上に少なくとも２回以上、前記画像を印刷するよう前記両面孔版印刷装置の各部の駆動を制御する
ことを特徴とする請求項１又は２に記載の両面孔版印刷装置。
【請求項４】
前記製版制御部は、前記インキの粘度を調整するに際して、先に印刷に用いられる版ほど前記用紙の搬送方向の先端側の余白が広くなるよう複数の前記両面製版マスタの製版を制御する
ことを特徴とする請求項１〜３のいずれか１項に記載の両面孔版印刷装置。
【請求項５】
前記製版制御部は、前記インキの粘度を調整するに際して、先に印刷に用いられる版ほど印刷対象となる領域における印字率が低くなるよう複数の前記両面製版マスタの製版を制御する
ことを特徴とする請求項１〜４のいずれか１項に記載の両面孔版印刷装置。
【請求項６】
前記製版制御部は、前記インキの粘度を調整するに際して、前記用紙の搬送方向の先端から予め定められた位置までの印刷対象の領域における印字率が前記用紙の他の印刷対象の領域における印字率よりも低くなるよう前記両面製版マスタの製版を制御する
ことを特徴とする請求項１〜３のいずれか１項に記載の両面孔版印刷装置。
【請求項７】
用紙の表面に印刷するための画像である表面画像及び前記用紙の裏面に印刷するための画像である裏面画像を孔版原紙に副走査方向に並べて穿孔製版された両面製版マスタを装着した版胴に前記用紙を給紙して押圧し、前記用紙の一方の面に前記表面画像を印刷し、前記表面画像が印刷された前記用紙を前記版胴に給紙して押圧し、前記表面画像が印刷された前記用紙の他方の面に前記裏面画像を印刷する両面孔版印刷装置の制御方法であって、
前記用紙への印刷に用いられるインキの粘度を調整するに際して、前記用紙を搬送する搬送部と接する前記用紙の領域に前記インキを付着させない前記両面製版マスタの製版を制御し、
前記インキの粘度を調整するに際して製版された前記両面製版マスタに基づき、１枚の前記用紙の同一面上に少なくとも２回以上、前記画像を印刷するよう前記両面孔版印刷装置の各部の駆動を制御する
ことを特徴とする両面孔版印刷装置の制御方法。
【発明の詳細な説明】
【技術分野】
【０００１】
本発明は、両面孔版印刷装置及び両面孔版印刷装置の制御方法に関する。
【背景技術】
【０００２】
印刷装置の一つに孔版印刷装置がある。孔版印刷装置は、製版処理に相当する穿孔処理によって原稿画像に応じた孔が形成されたマスタを、インキ透過構造を備えた印刷ドラムに巻き付けるように構成されている。そして、孔版印刷装置は、印刷ドラム内に設けられたインキ供給機構からのインキを浸出させ、印刷ドラムに押し付けられた印刷用紙にインキを転移させることにより画像を印刷するように構成されている。
【０００３】
また、近年、孔版印刷装置として、印刷用紙の片面にのみ印刷を行う片面印刷（全面印刷ともいわれる）の他、印刷用紙の消費量および書類の保管スペースを低減させるため等の目的から、印刷用紙の両面に印刷を行う両面印刷が可能な両面孔版印刷装置がある。
【０００４】
この両面孔版印刷装置は、印刷ドラムの回転方向に沿って第１の製版画像と第２の製版画像とが２面分並んで分割製版されたマスタを印刷ドラムに巻き付け、第１の製版画像及び第２の製版画像のいずれか一方に対応した印刷（表面印刷）を印刷部で行う。そして、両面孔版印刷装置は、表面印刷済みの印刷用紙を両面再給紙部にて印刷部へ再給紙し、表面印刷済みの印刷用紙の裏面に印刷する。
【０００５】
また、孔版印刷装置では、印刷用インキとしてエマルションインキが使用されることが多い。エマルションインキは、カーボンを含む油相成分と水相成分及びインキによっては溶剤とからなり、空気に触れた状態で放置されると、水相成分及び溶剤成分が徐々に蒸発し、インキ中の油相成分の相対比率が上昇してくる。油相成分率が上昇してくると、インキは粘性が下がり、所謂緩んだ状態となる。
【０００６】
このため、孔版印刷装置において、最終ジョブでの印刷後、長い時間印刷を行わない（装置停止期間が長い）場合、印刷ドラム内のインキが緩んだ状態であるため、そのまま印刷を実行するとマスタに形成された孔からのインキ透過量が多くなる。その結果、印刷用紙へのインキの過剰転移が起きてしまう。
【０００７】
そこで、孔版印刷装置において、最終印刷（前回の印刷）からある程度の時間が経過した後に印刷を行う際には、インキのリフレッシュのため、正規の印刷を行う前に、インキ調整として捨て印刷を実行することが提案されている（例えば、特許文献１を参照）。
【発明の概要】
【発明が解決しようとする課題】
【０００８】
両面孔版印刷装置の場合、特許文献１に開示された技術により両面印刷に用いられる印刷用紙に第１の製版画像及び第２の製版画像に基づく捨て印刷を実行すると、印刷用紙面に過剰転移されたインキが両面再給紙部の反転ローラや用紙搬送経路を汚してしまう。その結果、正規の印刷時にインキによる印刷用紙の汚れを防止するため、別途清掃が必要になる。また、安定した通紙性能を確保できなくなり、印刷ドラムと印刷用紙との貼り付き力が大きくなることで、印刷ドラムからの印刷用紙の剥がし損ねが生じ、用紙搬送不良が生じてしまう。
【０００９】
このような問題を解決するために、両面再給紙部を経由せず、印刷ドラム１回転で第１の製版画像及び第２の製版画像いずれかに基づき印刷用紙の片面に捨て印刷することを交互に繰り返すことが考えられる。これにより、両面再給紙部へ搬送される印刷用紙が直接排紙部に搬送されるので、印刷用紙面に過剰転移されたインキによる両面再給紙部の反転ローラ等の用紙搬送経路の汚れを防止することができる。
【００１０】
しかしながら、この場合、印刷ドラム１回転で第１の製版画像及び第２の製版画像の一方のみが印刷用紙の片面に印刷されることを繰り返すので、多量の印刷用紙が必要となる。
【００１１】
本発明は、このような課題を鑑みてなされたものであり、両面孔版印刷装置においてインキ調整のための捨て印刷を行う際に、使用する印刷用紙の枚数をより軽減しつつ、印刷用紙面に転移されたインキによる用紙搬送経路の汚れを防止することを目的とする。
【課題を解決するための手段】
【００１２】
上記課題を解決するために、本発明の一態様は、用紙の表面に印刷するための画像である表面画像及び前記用紙の裏面に印刷するための画像である裏面画像を孔版原紙に副走査方向に並べて穿孔製版された両面製版マスタを装着した版胴に前記用紙を給紙して押圧し、前記用紙の一方の面に前記表面画像を印刷し、前記表面画像が印刷された前記用紙を前記版胴に給紙して押圧し、前記表面画像が印刷された前記用紙の他方の面に前記裏面画像を印刷する両面孔版印刷装置であって、前記用紙への印刷に用いられるインキの粘度を調整するに際して、前記用紙を搬送する搬送部と接する前記用紙の領域に前記インキを付着させない前記両面製版マスタの製版を制御する製版制御部と、前記インキの粘度を調整するに際して製版された前記両面製版マスタに基づき、１枚の前記用紙の同一面上に少なくとも２回以上、前記画像を印刷するよう前記両面孔版印刷装置の各部の駆動を制御するインキ調整制御部とを含むことを特徴とする。
【発明の効果】
【００１３】
本発明によれば、両面孔版印刷装置においてインキ調整のための捨て印刷を行う際に、使用する印刷用紙の枚数をより軽減しつつ、印刷用紙面に転移されたインキによる用紙搬送経路の汚れを防止することができる。
【図面の簡単な説明】
【００１４】
【図１】本発明の実施形態に係る両面孔版印刷装置の機械的構成を例示する概略正面図である。
【図２】本発明の実施形態に係る両面孔版印刷装置における両面印刷及び片面印刷における印刷用紙及び製版済みマスタを例示する図である。
【図３】本発明の実施形態に係る両面孔版印刷装置のハードウェア構成を例示するブロック図である。
【図４】本発明の実施形態に係る両面孔版印刷装置の機能構成を例示するブロック図である。
【図５】本発明の実施形態に係る操作パネルを例示する図である。
【図６】本発明の実施形態に係る主制御部の機能構成を例示するブロック図である。
【図７】本発明の実施形態に係るインキ調整制御部による動作を例示するフローチャートである。
【図８】本発明の実施形態に係るインキ調整を実行するか否かの選択画面を例示する図である。
【図９】本発明の実施形態に係るインキ調整制御部による動作を例示するフローチャートである。
【図１０】本発明の実施形態に係るインキ調整制御部による動作を例示するフローチャートである。
【図１１】本発明の実施形態に係る印刷用紙を繰り返し使用するか否かの選択画面を例示する図である。
【図１２】本発明の実施形態に係る１回通紙用の製版画像を含む分割製版済みマスタ及び繰り返し通紙用の製版画像を含む分割製版済みマスタを例示する図である。
【図１３】本発明の実施形態に係るインキ調整制御部による動作を例示するフローチャートである。
【図１４】本発明の実施形態に係る１回通紙用の製版画像を含む分割製版済みマスタを例示する図である。
【図１５】本発明の実施形態に係る繰り返し通紙用の製版画像を含む分割製版済みマスタを例示する図である。
【図１６】本発明の実施形態に係るインキ調整制御部による動作を例示するフローチャートである。
【図１７】本発明の実施形態に係る印刷用紙の繰り返し使用を許可するか否かの選択画面を例示する図である。
【図１８】本発明の実施形態に係る返し通紙用の製版画像を含む分割製版済みマスタを例示する図である。
【図１９】本発明の実施形態に係る１回通紙用の製版画像を含む分割製版済みマスタ及び繰り返し通紙用の製版画像を含む分割製版済みマスタを例示する図である。
【発明を実施するための形態】
【００１５】
以下、図面を参照して、本発明の実施形態を詳細に説明する。本実施形態においては、用紙の両面に孔版印刷を行う両面孔版印刷装置を例として説明する。図１は、本実施形態に係る両面孔版印刷装置１の機械的構成を例示する概略正面図である。図１に示すように、本実施形態に係る両面孔版印刷装置１は、印刷部２、製版部３、給紙部４、排版部５、排紙部６、画像読取部７、補助トレイ８、再給紙部９、切替部１０を含む。
【００１６】
印刷部２は、印刷装置本体１１のほぼ中央に配置されており、印刷ドラムとしての版胴１２と、押圧手段としてのプレスローラ１３とを有している。版胴１２は印刷装置本体１１に着脱自在かつ回転自在に支持されており、例えばＤＣモータからなるメインモータを含む印刷ドラム駆動手段によって図中矢印方向（時計回り）に回転駆動される。
【００１７】
版胴１２の外周面には、製版部３で穿孔製版された製版済みマスタの先端を保持するクランパ１９が設けられている。本実施形態においては、両面印刷時には分割製版済みマスタ（両面製版マスタ）が、片面印刷時には製版済みマスタ（片面製版マスタ）がそれぞれ巻き付けられる（図示は分割製版済みマスタ６５）。最大でＡ３サイズの印刷用紙に片面印刷が可能な製版済みマスタを版胴１２に巻き付けることができる。
【００１８】
版胴１２には、インキ通過性の多数の開孔が開けられた印刷可能な画像形成領域（以下、「開口部」という）と、クランパ１９が配置された非画像形成領域（以下、「非開口部」という）とが、版胴１２の回転方向に沿って形成されている。上記画像形成領域は、図中の版胴１２における第１の画像領域１２ａ（以下、「表面領域１２ａ」という）と、中間領域１２ｓと、第２の画像領域１２ｂ（以下、「裏面領域１２ｂ」という）とを含む領域である。
【００１９】
版胴１２の内部にはインキ供給手段１５が設けられている。インキ供給手段１５は、インキ供給パイプを兼ねた支軸１４、インキローラ１６、ドクターローラ１７等を有している。支軸１４には複数の小さな孔が開けられており、支軸１４から供給されたインキが、インキローラ１６とドクターローラ１７との近接部に形成される空間に溜まることにより、インキ溜まり１８が形成される。
【００２０】
版胴１２の下方には、版胴１２の外周面に対して接離自在なプレスローラ１３が設けられている。プレスローラ１３は、アーム部材にその両端を回転自在に支持されており、そのアーム部材は揺動手段によって揺動自在に支持されている。プレスローラ１３は、その周面が版胴１２より離間する図示の離間位置と、その周面が版胴１２上の製版済みマスタに圧接する圧接位置とを選択的に占める。
【００２１】
プレスローラ１３の周面近傍には、プレスローラ１３の周面に接触してクリーニングを行うクリーニングローラ２６が設けられている。クリーニングローラ２６は駆動手段によって回転駆動される。
【００２２】
プレスローラ１３の右方近傍には再給紙部９から送られてきた表面印刷済みの印刷用紙Ｐをプレスローラ１３の周面に沿わせて搬送することにより、印刷用紙Ｐの表裏を反転して再給紙するための再給紙案内部材２２が設けられている。
【００２３】
プレスローラ１３の下方には、補助トレイ８上に貯留されている表面印刷済みの印刷用紙Ｐをプレスローラ１３の周面に接触させて送り出す再給紙レジストローラ２３が設けられている。プレスローラ１３の左下方には上面に補助トレイ８を有する再給紙搬送ユニット２５が設けられており、これには再給紙位置決め部材２４が一体的に設けられている。
【００２４】
版胴１２とプレスローラ１３との接触位置の左方であって印刷用紙Ｐの搬送経路上には、切替部１０が設けられている。切替部１０は、印刷用紙搬送方向Ｘａの下流側端部が印刷装置本体１１に回動自在に支持されており、移動手段によって移動され、図１に実線で示す第１の位置と一点鎖線で示す第２の位置とを選択的に占める。
【００２５】
版胴１２とプレスローラ１３との間を通過した印刷用紙Ｐは、切替部１０が第１の位置を占めているときに排紙部６へと案内され、切替部１０が第２の位置を占めているときにガイド板５６により補助トレイ８へと案内される。
【００２６】
これら補助トレイ８、再給紙案内部材２２、再給紙レジストローラ２３、再給紙位置決め部材２４、再給紙搬送ユニット２５、およびガイド板５６によって、再給紙部９が構成されている。
【００２７】
印刷部２の右上方には製版部３が設けられている。製版部３は、マスタ６４をロール状に巻成したマスタロールを保持するマスタ保持部材５７、プラテンローラ５８、サーマルヘッド５９、マスタ切断手段６０、マスタストック部６１、テンションローラ対６２、反転ローラ対６３等を有する周知のものである。
【００２８】
ここで、図２を用いて、両面孔版印刷装置１における両面印刷及び片面印刷における印刷用紙及び製版済みマスタについて説明する。図２（ａ）は、両面印刷における印刷用紙及び製版済みマスタであり、図２（ｂ）は、片面印刷における印刷用紙及び製版済みマスタである。
【００２９】
製版部３は、マスタ６４に製版を行い、両面印刷時には、図２（ａ）に示すように、版胴１２の回転方向に沿って、表面印刷用の第１の製版画像６５ａと、裏面印刷用の第２の製版画像６５ｂとを有する分割製版済みマスタ６５を作成する。すなわち、分割製版済みマスタ６５は、第１の製版画像６５ａ及び第２の製版画像６５ｂを孔版原紙に副走査方向に並べて穿孔製版された両面製版マスタである。
【００３０】
また、製版部３は、片面印刷時には、図２（ｂ）に示すように、版胴１２の回転方向に沿って表面製版画像６５ａと裏面製版画像６５ｂとの２面分の画像領域を有する第３の製版画像６６ａを有する製版済みマスタ６６を作成する。
【００３１】
第１の製版画像６５ａは、分割製版済みマスタ６５が版胴１２の外周面上に巻き付けられたときに、図１に示す表面領域１２ａと対応する位置に形成され、第２の製版画像６５ｂは裏面領域１２ｂと対応する位置に形成される。また、第１の製版画像６５ａ、第２の製版画像６５ｂにより、両面印刷用の印刷用紙（例えばＡ４サイズ）の表面Ｐａ、裏面Ｐｂに画像が印刷される。
【００３２】
第３の製版画像６６ａは、製版済みマスタ６６が版胴１２の外周面上に巻き付けられた（装着された）ときに、図１に示す表面領域１２ａ、中間領域１２ｓ、および裏面領域１２ｂに対応する位置に形成される。また、第３の製版画像６６ａにより、片面印刷用の印刷用紙（例えばＡ３サイズ）の表面Ｐｃに画像が印刷される。
【００３３】
図１の説明に戻る。製版部３の下方には給紙部４が設けられている。給紙部４は、印刷用紙Ｐを積載する給紙トレイ６７、給紙ローラ６８、分離ローラ６９、分離パッド７０、レジストローラ対７１等を有する周知のものである。給紙トレイ６７には、その上面に積載された印刷用紙Ｐのサイズを検知する複数の用紙サイズ検知センサ７３が設けられている。
【００３４】
印刷部２の左上方に配設された排版部５も、上排版部材７４、下排版部材７５、排版ボックス７６、圧縮板７７等を有する周知のものである。排版部５は、使用済みの分割製版済みマスタ６５及び製版済みマスタ６６を版胴１２の外周面より剥離して排版ボックス７６の内部に廃棄する。
【００３５】
排版部５の下方には排紙部６が設けられている。排紙部６は、剥離爪８４、排紙搬送ユニット８５、排紙トレイ８６等を有する周知のものであり、版胴１２の外周面上より印刷用紙Ｐを剥離して排紙トレイ８６上に排出する。なお、排紙部６には、印刷用紙Ｐの先端部（用紙搬送方向の前端部）を版胴１２の外周面から浮き上がらせ、剥離爪８４による剥離を補助する印刷用紙剥離用のファンやエアーノズルなどの送風手段が設けられてもよい。
【００３６】
印刷装置本体１１の上部には、画像読取部７が設けられている。画像読取部７は、原稿を載置するコンタクトガラス９３、コンタクトガラス９３に対して接離自在に設けられた圧板９４、原稿画像を走査して読み取る反射ミラー９５、９６、９７、９８および蛍光灯９９、走査された原稿画像に係る反射光を集束するレンズ１００、集束された原稿画像に係る反射光を光電変換処理する画像センサ１０１等を有している。原稿画像の読取動作はスキャナモータ等を含む読取駆動手段の作動によって行われる。
【００３７】
版胴１２を構成するフランジの外面にはドグ１３３が取り付けられており、版胴１２の周囲近傍には印刷装置本体１１に取り付けられたホームポジションセンサ１３４が設けられている。ホームポジションセンサ１３４は、クランパ１９がプレスローラ１３と対向する位置を版胴１２が占めたときにドグ１３３を検知して後述するコントローラ１４０（図４参照）にその検知信号を送信する。
【００３８】
次に、本実施形態に係る両面孔版印刷装置１のハードウェア構成を説明する。図３は、本実施形態に係る両面孔版印刷装置１のハードウェア構成を例示するブロック図である。図３に示すように、本実施形態に係る両面孔版印刷装置１は、一般的なサーバやＰＣ（Ｐｅｒｓｏｎａｌ  Ｃｏｍｐｕｔｅｒ）等と同様の構成を含む。
【００３９】
すなわち、本実施形態に係る両面孔版印刷装置１は、ＣＰＵ（Ｃｅｎｔｒａｌ  Ｐｒｏｃｅｓｓｉｎｇ  Ｕｎｉｔ）１２１、ＲＡＭ（Ｒａｎｄｏｍ  Ａｃｃｅｓｓ  Ｍｅｍｏｒｙ）１２２、ＲＯＭ（Ｒｅａｄ  Ｏｎｌｙ  Ｍｅｍｏｒｙ）１２３、ＨＤＤ（Ｈａｒｄ  Ｄｉｓｋ  Ｄｒｉｖｅ）１２４及びＩ／Ｆ１２５がバス１２８を介して接続された構成である。また、Ｉ／Ｆ１２５にはＬＣＤ（Ｌｉｑｕｉｄ  Ｃｒｙｓｔａｌ  Ｄｉｓｐｌａｙ）１２６及び操作部１２７が接続されている。この他、両面孔版印刷装置１の場合、画像形成出力やスキャンを実行する専用デバイスが含まれる。
【００４０】
ＣＰＵ１２１は演算手段であり、両面孔版印刷装置１全体の動作を制御する。ＲＡＭ１２２は、情報の高速な読み書きが可能な揮発性の記憶媒体であり、ＣＰＵ１２１が情報を処理する際の作業領域として用いられる。ＲＯＭ１２３は、読み出し専用の不揮発性記憶媒体であり、ファームウェア等のプログラムが格納されている。ＨＤＤ１２４は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。なお、ＨＤＤの他、ＳＳＤ（Ｓｏｌｉｄ  Ｓｔａｔｅ  Ｄｒｉｖｅ）等の半導体記憶装置を用いても良い。
【００４１】
Ｉ／Ｆ１２５は、バス１２８と各種のハードウェアやネットワーク等を接続し制御する。ＬＣＤ１２６は、ユーザが両面孔版印刷装置１の状態を確認するための視覚的ユーザインタフェースである。操作部１２７は、キーボード、マウス、各種のハードボタン、タッチパネル等、ユーザが両面孔版印刷装置１に情報を入力するためのユーザインタフェースである。
【００４２】
このようなハードウェア構成において、ＲＯＭ１２３やＨＤＤ１２４若しくは図示しない光学ディスク等の記憶媒体に格納されたプログラムがＲＡＭ１２２に読み出され、ＣＰＵ１２１がそれらのプログラムに従って演算を行うことによりソフトウェア制御部が構成される。このようにして構成されたソフトウェア制御部と、ハードウェアとの組み合わせによって、本実施形態に係る両面孔版印刷装置１の機能を実現する機能ブロックが構成される。
【００４３】
次に、本実施形態に係る両面孔版印刷装置１の機能を説明する。図４は、本実施形態に係る両面孔版印刷装置１の機能構成を例示するブロック図である。図４に示すように、本実施形態に係る両面孔版印刷装置１は、コントローラ１４０、印刷部２、製版部３、給紙部４、排版部５、排紙部６、画像読み取り部７、再給紙部９、切替部１０、ホームポジションセンサ１３４、環境センサ１３５及び操作パネル２００を含む。
【００４４】
また、コントローラ１４０は、主制御部１５０、駆動制御部１４１、センサ制御部１４２及び操作表示制御部１４３を有する。なお、図４に示した構成のうち図１に示した符号と同じ符号の構成は図１と同一の構成である。
【００４５】
コントローラ１４０は、ソフトウェアとハードウェアとの組み合わせによって構成され、例えば、印刷装置本体１１内の制御基板配置部に設けられる。具体的には、ＲＯＭ１２３やＨＤＤ１２４等の不揮発性記憶媒体に格納されたファームウェア等の制御プログラムがＲＡＭ１２２にロードされる。そして、それらのプログラムに従ってＣＰＵ１２１が演算を行うことにより構成されるソフトウェア制御部と集積回路などのハードウェアとによってコントローラ１４０が構成される。コントローラ１４０は、両面孔版印刷装置１全体を制御する制御部として機能する。
【００４６】
主制御部１５０は、コントローラ１４０に含まれる各部を制御する役割を担い、コントローラ１４０の各部に命令を与える。主制御部１５０による制御のうちインキ調整のための捨て印刷の制御が本実施形態に係る要旨である。主制御部１５０による捨て印刷の制御についての詳細は後述する。
【００４７】
駆動制御部１４１は、主制御部１５０の制御に従い、印刷部２、製版部３、給紙部４、排版部５、排紙部６、画像読取部７、再給紙部９、切替部１０等をそれぞれ駆動する駆動手段、モータ、ソレノイド等の動作を制御する役割を担う。センサ制御部１４２は、ホームポジションセンサ１３４及び環境センサ１３５等の各種センサから入力される信号を主制御部１５０対して出力する。また、主制御部１５０は、センサ制御部１４２を制御し、各種センサにアクセスする。
【００４８】
例えば、主制御部１５０は、センサ制御部１４２から入力されたホームポジションセンサ１３４からのホームポジション信号と印刷部２を駆動する印刷ドラム駆動手段に設けられたエンコーダからの信号とに基づいて、版胴１２の回転位置を割り出す。環境センサ１３５は、両面孔版印刷装置１内や周囲の温度及び湿度等の環境情報を検知する。
【００４９】
操作表示制御部１４３は、後述する操作パネル２００に情報表示を行い若しくは操作パネル２００を介して入力された情報を主制御部１５０に通知する。操作パネル２００は、両面孔版印刷装置１の状態を視覚的に表示する出力インタフェースであると共に、タッチパネルとしてユーザが両面孔版印刷装置１を直接操作し若しくは両面孔版印刷装置１に対して情報を入力する際の入力インタフェースでもある。すなわち、操作パネル２００は、図３に示したＬＣＤ１２６及び操作部１２７により実現される。操作パネル２００は、例えば、印刷装置本体１１の上部前面に配置される。
【００５０】
図５は、操作パネル２００を例示する図である。図５に示すように、操作パネル２００には、スタートキー、クリア／ストップキー、プリントキー、テンキー、等の周知のキーの他、インキ調整キー２０１が配置されている。また、操作パネル２００には、ＬＣＤ１２６により実現される液晶表示部２０２が配置されている。また、操作パネル２００には、キー２０３〜２０６が配置されている。キー２０３〜２０６は、液晶表示部２０２に表示された項目に対応し、キー２０３〜２０６のいずれかが押下されると、押下されたキーに対応する項目が選択される。
【００５１】
インキ調整キー２０１は、インキ調整処理を有効にするか否かを設定するためのボタンである。例えば、インキ調整キー２０１が押下されると、液晶表示部２０２にインキ調整処理を有効にするか否かの選択肢が表示され、キー２０３〜２０６を用いてインキ調整処理の有無を設定する。
【００５２】
また、インキ調整キー２０１により設定された内容は、両面孔版印刷装置１のＲＯＭ１２３やＨＤＤ１２４に格納されてもよい。これにより、両面孔版印刷装置１の電源がオフされた場合であっても、再度電源がオンされた際に、最後に設定された内容が反映される。その他、インキ調整処理の設定は、インキ調整キー２０１によらず予め定められていてもよいし、ユーザにインキ調整処理を行うか否かを、操作パネル２００を介してその都度選択させるようにしてもよい。
【００５３】
なお、図５に示した操作パネル２００に表示されているキーは一例であり、その他、印刷モード（片面印刷モード及び両面印刷モード）を設定するための印刷モードキー（片面印刷キー及び両面印刷キー）等が操作パネル２００に配置されていてもよい。
【００５４】
次に、本実施形態に係る両面孔版印刷装置１における通常製版印刷について説明する。通常製版印刷の印刷モードには、両面印刷及び片面印刷があり、以下、それぞれの印刷モードにおける両面孔版印刷装置１の動作を順に説明する。
【００５５】
両面孔版印刷装置１が両面印刷モードで動作する場合、画像読取部７に原稿がセットされ、ユーザにより操作パネル２００の両面印刷キーが押下されると、主制御部１５０は、両面印刷用の動作プログラムに従って動作を開始する。そして、スタートキーが押下されると、主制御部１５０の制御に従って、画像読取部７において原稿画像の読取動作が行われると共に排版部５が作動して版胴１２の外周面から使用済みの分割製版済みマスタ６５あるいは製版済みマスタ６６が剥離される。
【００５６】
排版後、製版部３が作動することにより、マスタ６４に第１の製版画像６５ａ及び第２の製版画像６５ｂが形成されて新たな分割製版済みマスタ６５が製版され、版胴１２に巻き付けられる。
【００５７】
巻き付け動作が完了し、両面孔版印刷装置１が両面印刷待機状態となった後、各種印刷条件設定後にプリントキーが押下されると、版胴１２が設定速度で回転駆動すると共に、給紙部４より印刷用紙Ｐとして両面印刷用の印刷用紙（例えばＡ４サイズ）が１枚給送される。給送された印刷用紙Ｐは、レジストローラ対７１で一時停止された後、所定のタイミングで版胴１２とプレスローラ１３との間の印圧ニップ部に向けて送られる。なお、各種印刷条件の設定は、スタートキーの押下前に行ってもよい。
【００５８】
版胴１２が所定の角度まで回転して、その表面領域１２ａがプレスローラ１３と対応する所定位置を占めると、プレスローラ１３が圧接位置を占めることにより印刷用紙Ｐが版胴１２上の分割製版済みマスタ６５の第１の製版画像６５ａに圧接される。これにより、印刷用紙Ｐの一方の面（表面）に、用紙の表面に印刷するための画像である表面画像（第1の製版画像６５ａ）が転写される。
【００５９】
表面印刷済み用紙となった印刷用紙Ｐは、第２の位置を占めている切替部１０の先端によって版胴１２の外周面より剥離され、再給紙搬送ユニット２５へと送られる。このとき、印刷用紙Ｐはその先端がガイド板５６によって案内され、後端側から補助トレイ８上に載置される。補助トレイ８上の印刷用紙Ｐは、再給紙搬送ユニット２５によって図１の矢印方向に搬送され、その先端が再給紙位置決め部材２４に当接した状態で一時停止する。
【００６０】
１枚目の印刷用紙Ｐが補助トレイ８上に案内されている間も、版胴１２の回転は続いており、給紙部４からは１枚目の印刷用紙Ｐと同じタイミングで２枚目の印刷用紙Ｐが給送される。給送された２枚目の印刷用紙Ｐは、１枚目の印刷用紙Ｐと同様に、プレスローラ１３によってその一方の面に第１の製版画像６５ａを転写された後、第２の位置を占めている切替部１０によって再給紙搬送ユニット２５へ送られる。
【００６１】
給紙部４から２枚目の印刷用紙Ｐが給送された後、版胴１２の裏面領域１２ｂがプレスローラ１３と対応する位置に到達するよりもやや早いタイミングで、再給紙レジストローラ２３が作動する。再給紙レジストローラ２３が作動することにより、補助トレイ８上に貯留されている１枚目の印刷用紙Ｐが、プレスローラ１３の周面に圧接される。
【００６２】
プレスローラ１３の周面に圧接された１枚目の印刷用紙Ｐは、版胴１２に圧接して従動回転しているプレスローラ１３の回転力によって版胴１２との当接部に向けて搬送され、分割製版済みマスタ６５の第２の製版画像６５ｂに圧接される。これにより、印刷用紙Ｐの他方の面（裏面）に、用紙の裏面に印刷するための画像である裏面画像（第２の製版画像６５ｂ）が転写される。
【００６３】
裏面画像を転写されて両面印刷済み用紙となった１枚目の印刷用紙Ｐは、第１の位置を占めている切替部１０によって排紙部６へ案内され、剥離爪８４の先端によって版胴１２の外周面より剥離される。剥離された両面印刷済みの印刷用紙Ｐは、排紙搬送ユニット８５へと送られた後、排紙トレイ８６上に排出されて積載される。このような動作を繰り返し、設定された枚数の両面印刷が完了すると各部位の作動が停止する。
【００６４】
両面孔版印刷装置１が片面印刷モードで動作する場合、画像読取部７に原稿がセットされ、ユーザにより操作パネル２００の片面印刷キーが押下されると、主制御部１５０は、片面印刷用の動作プログラムに従って動作を開始する。そして、スタートキーが押下されると、画像読取部７において原稿画像の読取動作が行われると共に排版部５が作動して版胴１２の外周面から使用済みの分割製版済みマスタ６５あるいは製版済みマスタ６６が剥離される。排版後、製版部３が作動することにより、マスタ６４に第３の製版画像６６ａが形成されて新たな製版済みマスタ６６が製版され、版胴１２に巻き付けられる。
【００６５】
巻き付け作が完了して両面孔版印刷装置１が片面印刷待機状態となった後、各種印刷条件設定後にプリントキーが押下されると、版胴１２が設定速度で回転駆動されると共に、給紙部４より印刷用紙Ｐとして片面印刷用の印刷用紙（例えばＡ３サイズ）が１枚給送される。給送された印刷用紙Ｐは、レジストローラ対７１で一時停止された後、所定のタイミングで版胴１２とプレスローラ１３との間の印圧ニップ部に向けて送られる。なお、各種印刷条件の設定は、スタートキーの押下前に行ってもよい。
【００６６】
版胴１２が所定の角度まで回転して、その表面領域１２ａがプレスローラ１３と対応する所定位置を占めると、プレスローラ１３が圧接位置を占めることにより印刷用紙Ｐが版胴１２上の製版済みマスタ６６の第３の製版画像６６ａに圧接され、画像が転写される。
【００６７】
画像を転写されて印刷済みとなった印刷用紙Ｐは、第１の位置を占めている切替部１０によって排紙部６へ案内され、剥離爪８４端によって版胴１２の外周面より剥離される。剥離された印刷用紙Ｐは、排紙搬送ユニット８５へと送られた後、排紙トレイ８６上に排出されて積載される。このような動作を繰り返し、設定された枚数の片面印刷が完了すると各部位の作動が停止する。
【００６８】
次に、本実施形態に係る主制御部１５０の機能のうちインキ調整のための捨て印刷の制御に関する機能を説明する。図６は、本実施形態に係る主制御部１５０の捨て印刷の制御に関する機能構成を例示するブロック図である。図６に示すように、本実施形態に係る主制御部１５０は、設定情報取得部１５１、センサ情報取得部１５２、経過時間計測部１５３、インキ調整制御部１５４及び製版制御部１５５を含む。
【００６９】
設定情報取得部１５１は、操作パネル２００を介してユーザにより設定された情報を取得して、インキ調整制御部１５４に対して出力する。具体的には、例えば、設定情報取得部１５１は、操作パネル２００のインキ調整キー２０１により設定されたインキ調整処理の有無を示す設定情報をインキ調整制御部１５４に対して出力する。
【００７０】
センサ情報取得部１５２は、センサ制御部１４２から入力された各種センサからの信号をセンサ情報として取得し、インキ調整制御部１５４に対して出力する。経過時間計測部１５３は、両面孔版印刷装置１において最後に印刷された時間（日時）からの経過時間を計測し、インキ調整制御部１５４に対して出力する。なお、経過時間計測部１５３による経過時間の計測タイミングは、例えば、両面孔版印刷装置の電源投入時や省電力モードからの復帰時とする。
【００７１】
インキ調整制御部１５４は、上述した設定情報取得部１５１から入力される設定情報、センサ情報取得部１５２から入力されるセンサ情報及び経過時間計測部１５３から入力される経過時間に基づき、インキ調整のための各部の動作を制御する。インキ調整制御部１５４による動作の詳細は後述する。製版制御部１５５は、インキ調整制御部１５４による制御に従い、製版部３によるマスタの製版を制御する。製版制御部１５５による製版制御の動作の詳細は後述する。
【００７２】
次に、インキ調整制御部１５４による動作の詳細を、図７以降を参照して説明する。図７、図９、図１０、図１３は、本実施形態に係るインキ調整制御部１５４による動作を例示するフローチャートである。以下、これらのフローチャートを参照して、インキ調整制御部１５４による動作を説明する。
【００７３】
図７に示すように、インキ調整制御部１５４は、経過時間計測部１５３から入力された経過時間が所定時間以上であるか否かを判定する（Ｓ７０１）。すなわち、インキ調整制御部１５４は、両面孔版印刷装置１において最後に印刷された時間から所定時間以上経過しているか否かを判定する。
【００７４】
最後に印刷された時間から所定時間以上経過している場合、両面孔版印刷装置１において用いられるインキが緩んだ状態になり、印刷用紙へのインキの過剰転移が発生する。すなわち、最後に印刷された時間から所定時間以上経過していることは、捨て印刷によるインキ調整を必要とする判定基準となる。なお、所定時間は、例えば、両面孔版印刷装置１の設定情報としてＲＯＭ１２３等に格納されている他、ユーザやサービスマン等により操作パネル２００を介して設定されてもよい。
【００７５】
経過時間が所定時間未満である場合（Ｓ７０１／ＮＯ）、インキ調整制御部１５４は、処理を終了する。すなわち、両面孔版印刷装置１は、上述した通常製版印刷の実行が可能な状態になる。一方、経過時間が所定時間以上である場合（Ｓ７０１／ＹＥＳ）、インキ調整制御部１５４は、操作表示制御部１４３を介して、インキ調整を実行するか否かの選択画面を操作パネル２００に表示する（Ｓ７０２）。なお、経過時間が所定時間以上である場合の他、経過時間計測部１５３による経過時間の計測が行われない場合も、インキ調整制御部１５４は、Ｓ７０２の処理と同様な処理を行う。
【００７６】
図８は、インキ調整を実行するか否かの選択画面を例示する図である。なお、図８は、操作パネル２００のうち液晶表示部２０２とキー２０３〜２０６を示す。図８に示すように、液晶表示部２０２には、インキ調整を実行するか否かを確認する旨のメッセージと、「実行する」及び「実行しない」の項目とが表示されている。図８に示す画面においては、ユーザによりキー２０３が押下されると、インキ調整を実行することが選択され、ユーザによりキー２０４が押下されると、インキ調整を実行しないことが選択される。
【００７７】
インキ調整を実行するか否かの選択画面を表示したインキ調整制御部１５４は、インキ調整を実行することが選択されたか否かを判定する（Ｓ７０３）。インキ調整を実行することが選択された場合（Ｓ７０３／ＹＥＳ）、インキ調整制御部１５４は、インキ調整処理を実行する（Ｓ７０４）。インキ調整処理（Ｓ７０４）の動作の詳細は後述する。一方、インキ調整を実行しないことが選択された場合（Ｓ７０３／ＮＯ）、インキ調整制御部１５４は、インキ調整処理を行うことなく処理を終了する。
【００７８】
なお、本実施形態において、インキ調整制御部１５４は、図８に示した選択画面を介したユーザの操作によりインキ調整を実行するか否かの設定情報を取得する場合を例として説明した。その他、インキ調整制御部１５４は、上述したインキ調整キー２０１により予め設定されたインキ調整処理の有無に基づいて、インキ調整処理を実行するか否かを判定してもよい。また、インキ調整制御部１５４は、経過時間が所定時間以上である場合に、インキ調整を実行するか否かを別途判定することなく、インキ調整処理を実行してもよい。
【００７９】
次に、図９を参照して、図７に示したＳ７０４の処理の動作の詳細を説明する。図９に示すように、インキ調整制御部１５４は、捨て印刷に用いられる印刷用紙のサイズを取得する（Ｓ９０１）。具体的には、例えば、インキ調整制御部１５４は、センサ情報取得部１５２から入力された給紙トレイ６７に設けられた用紙サイズ検知センサ７３からの信号により用紙のサイズ情報を取得する。
【００８０】
なお、インキ調整制御部１５４は、用紙サイズを取得した際に、操作表示制御部１４３を介して、取得した用紙サイズの確認画面を操作パネル２００に表示して、ユーザに確認を促してもよい。また、インキ調整制御部１５４は、給紙トレイ６７に用紙サイズ検知センサ７３が設けられていない場合、用紙サイズ設定画面を操作パネル２００に表示して、ユーザに用紙サイズの設定を促してもよい。
【００８１】
用紙サイズを取得したインキ調整制御部１５４は、取得した用紙サイズが両面印刷用（例えば、「Ａ４」）であるか否かを判定する（Ｓ９０２）。用紙サイズが片面印刷用（例えば、「Ａ３」）である場合（Ｓ９０２／ＮＯ）インキ調整制御部１５４は、全面インキ調整を実行する（Ｓ９０３）。全面インキ調整は、上述した通常製版印刷における片面印刷の動作と同様の動作により片面印刷用の印刷用紙を用いて捨て印刷を行う処理である。
【００８２】
一方、用紙サイズが両面印刷用である場合（Ｓ９０２／ＹＥＳ）、インキ調整制御部１５４は、捨て印刷時の製版領域を変更するか否かを判定する（Ｓ９０４）。両面孔版印刷装置１において用いられるエマルジョンインキの粘度は、放置時間が長くなるほどエマルション状態が破壊されて低下する。粘度が低下したエマルションインキを用いて印刷を実行した際、印刷用紙面に過度のインキが付着すると、版胴１２と印刷用紙間の貼りつき力が増す。引き剥がす力に対し貼りつき力が大きい場合、版胴１２から引き剥がすことができなくなり、排紙ジャムが発生する。
【００８３】
このような排紙ジャムの発生防止には、印刷用紙の先端（搬送方向の前端）の余白を広く取ることが有効である。印刷用紙の先端の余白を広く取ることにより、印刷用紙剥離用の送風手段からの風が印刷用紙と版胴１２との間に入りやすくなり、安定して印刷用紙を剥離できるようになるためである。
【００８４】
また、インキの粘度は放置時間が長くなるほど低下する性質から、最後に印刷された時間からの経過時間に基づいておおよそのインキの粘度を推定することができる。そこで、インキ調整制御部１５４は、経過時間計測部１５３から入力された経過時間に基づいて推定したインキ粘度に応じて印刷用紙の給紙タイミングが早くなるよう制御して、印刷用紙の先端余白を確保する。
【００８５】
一方で、給紙タイミングが早くなるよう制御することにより、印刷用紙の後端での余白がなくなり、製版領域が印刷用紙の後端に近い、もしくは印刷用紙の後端よりも後ろにある場合は、プレスローラ１３がインキで汚れる場合がある。このようなプレスローラ１３の汚れを防止するために、インキ調整制御部１５４は、給紙タイミングの制御に応じて、副走査方向の製版領域を、通常の両面印刷時の製版領域よりも狭めるよう制御する。
【００８６】
そこで、インキ調整制御部１５４は、経過時間計測部１５３から入力された経過時間に基づいて製版領域を変更するか否かを判定する（Ｓ９０４）。製版領域を変更する場合（Ｓ９０４／ＹＥＳ）、インキ調整制御部１５４は、繰り返し製版を実行するか否かを判定する（Ｓ９０５）。具体的には、インキ調整制御部１５４は、繰り返し製版を実行するか否かを選択するための選択画面を、操作表示制御部１４３を介して操作パネル２００に表示し、設定情報取得部１５１が取得した選択結果に応じて繰り返し製版を実行するか否かを判定する。
【００８７】
版胴１２に残存する放置インキを短時間で除去するためには、製版を繰返し、排版されるマスタにインキを付着させ廃棄することが有効であるが、その反面、マスタの消費が多くなる。ユーザによっては、インキ調整によるマスタの消費を極力抑えたい場合もある。そこで、ユーザに繰り返し製版を実行するか否かを選択させる構成としている。しかしながら、この構成は必須ではなく、繰り返し製版の実行有無が予め設定により定められていてもよい。
【００８８】
繰り返し製版を実行する場合（Ｓ９０５／ＹＥＳ）、インキ調整制御部１５４は、予め定められた製版回数を設定する（Ｓ９０６）。なお、製版回数は、予め定められている場合の他、操作パネル２００を介してユーザにより設定されてもよい。製版回数を設定したインキ調整制御部１５４は、両面インキ調整モードでインキ調整を行うか否かを判定する（Ｓ９０７）。
【００８９】
具体的には、インキ調整制御部１５４は、両面インキ調整モードでインキ調整を行うか否かを選択するための選択画面を、操作表示制御部１４３を介して操作パネル２００に表示する。そして、インキ調整制御部１５４は、設定情報取得部１５１が取得した選択結果に応じて、両面インキ調整モードでインキ調整を行うか否かを判定する。
【００９０】
インキ調整モードには、片面インキ調整モードと両面インキ調整モードがある。片面インキ調整モードでは、両面印刷用の印刷用紙の片面のみに捨て印刷を行い、両面インキ調整モードでは、印刷用紙の両面に捨て印刷を行う。ただし、両面インキ調整モードのインキ調整は、単独で行われることはなく、片面インキ調整モードのインキ調整の後に行われる。
【００９１】
両面インキ調整モードでインキ調整を行う場合（Ｓ９０７／ＹＥＳ）、インキ調整制御部１５４は、両面インキ調整モードへ切り替えるまでに片面インキ調整モードによるインキ調整に用いられる版数（以降、「切替版数」とする）を取得する（Ｓ９０８）。具体的には、例えば、インキ調整制御部１５４は、操作パネル２００を介してユーザにより設定された切替版数を取得する。
【００９２】
切替版数を取得したインキ調整制御部１５４は、両面インキ調整モードによるインキ調整処理を実行する（Ｓ９０９）。両面インキ調整モードによるインキ調整処理の詳細は後述する。
【００９３】
一方、製版領域を変更しない場合（Ｓ９０４／ＮＯ）、インキ調整制御部１５４は、繰り返し製版に関する設定を行うことなく、上述したＳ９０７の処理に進む。また、繰り返し製版を実行しない場合（Ｓ９０５／ＮＯ）又は両面インキ調整モードでインキ調整を行わない場合（Ｓ９０７／ＮＯ）、インキ調整制御部１５４は、片面インキ調整モードによるインキ調整処理を実行する（Ｓ９１０）。片面インキ調整モードによるインキ調整処理の詳細は後述する。
【００９４】
次に、図１０を参照して図９に示した片面インキ調整モードによるインキ調整処理（Ｓ９１０）の動作の詳細を説明する。図１０に示すように、インキ調整制御部１５４は、インキ調整に必要な印刷用紙の枚数を算出する（Ｓ１００１）。具体的には、例えば、インキ調整制御部１５４は、経過時間計測部１５３から入力された経過時間に基づいて必要な印刷用紙の枚数を算出する。上述したように、最後に印刷してからの経過時間が長いほど、インキの粘度が低下する傾向があるので、経過時間が長いほど必要な印刷用紙の枚数は多くなる。
【００９５】
なお、インキ調整制御部１５４は、必要な印刷用紙の枚数を算出した際に、操作表示制御部１４３を介して、取得した枚数の確認画面を操作パネル２００に表示して、ユーザに確認や修正を促してもよい。
【００９６】
必要な印刷用紙の枚数を算出したインキ調整制御部１５４は、操作表示制御部１４３を介して、１枚の印刷用紙を繰り返し使用（通紙）するか否かの選択画面を操作パネル２００に表示する（Ｓ１００２）。１枚の印刷用紙を繰り返し使用するとは、１枚の印刷用紙の同一面上に少なくとも２回以上、繰り返し印刷することを意味する。図１１は、繰り返し使用するか否かの選択画面を例示する図である。なお、図１１は、操作パネル２００のうち液晶表示部２０２とキー２０３〜２０６を示す。
【００９７】
図１１に示すように、液晶表示部２０２には、印刷用紙を繰り返し使用するか否かを確認する旨のメッセージと、「使用する」及び「使用しない」の項目とが表示されている。図１１に示す画面においては、ユーザによりキー２０３が押下されると、印刷用紙を繰り返し使用することが選択され、ユーザによりキー２０４が押下されると、印刷用紙を繰り返し使用しないことが選択される。
【００９８】
印刷用紙を繰り返し使用するか否かの選択画面を表示したインキ調整制御部１５４は、印刷用紙を繰り返し使用することが選択されたか否かを判定する（Ｓ１００３）。繰り返し使用しないことが選択された場合（Ｓ１００３／ＮＯ）、インキ調整制御部１５４は、製版制御部１５５を介して、１枚の印刷用紙を１回通紙する際に用いられるマスタの製版を制御する（Ｓ１００４）。
【００９９】
一方、繰り返し使用することが選択された場合（Ｓ１００３／ＹＥＳ）、インキ調整制御部１５４は、製版制御部１５５を介して、１枚の印刷用紙を繰り返し通紙する際に用いられるマスタの製版を制御する（Ｓ１００５）。Ｓ１００４又はＳ１００５の処理により、製版制御部１５５は、１回通紙用の製版画像を含むマスタ又は繰り返し通紙用の製版画像を含むマスタを製版する。
【０１００】
図１２（ａ）は、１回通紙用の製版画像を含む分割製版済みマスタを例示し、図１２（ｂ）は、繰り返し通紙用の製版画像を含む分割製版済みマスタを例示する図である。図１２においては、ドットでハッチングされている領域にインキが付着するものとする。図１２（ａ）に示すように、１枚の印刷用紙を１回通紙する場合、製版画像全体がインキを付着させる領域である。
【０１０１】
一方、図１２（ｂ）に示すように、１枚の印刷用紙を繰り返し通紙する場合、製版画像において、インキを付着させない領域（図１２（ｂ）の白抜きの領域）が含まれる。この領域は、給紙ローラ６８等の用紙を搬送する搬送部と接する用紙の領域に対応する。すなわち、搬送部と接する用紙の副走査方向の領域にはインキが付着しないので、１枚の印刷用紙を繰り返し通紙しても、搬送部がインキにより汚れることがない。
【０１０２】
繰り返し通紙用のマスタの製版を制御したインキ調整制御部１５４は、１枚の印刷用紙を繰り返し使用する場合のインキ調整に関する設定情報を取得する（Ｓ１００６）。設定情報は、例えば、繰り返し使用する印刷用紙の枚数を示す。インキ調整制御部１５４は、例えば、操作パネル２００を介してユーザにより設定された印刷用紙の枚数を設定情報として取得する。
【０１０３】
そして、インキ調整制御部１５４は、片面インキ調整モードによるインキ調整を実行する（Ｓ１００７）。具体的には、インキ調整制御部１５４は、１枚の印刷用紙を繰り返し使用しない場合、図１２（ａ）に示した分割製版済みマスタを用いて、版胴１２の１回転に対して表面画像及び裏面画像のいずれかの画像を印刷用紙の一方の面上に印刷するよう各部を制御する。そして、インキ調整制御部１５４は、Ｓ１００１の処理において算出された枚数分の印刷用紙それぞれの一方の面上に、版胴１２の一回転に対して表面画像及び裏面画像のいずれかの画像を均等に印刷するよう各部を制御することを繰り返す。
【０１０４】
一方、インキ調整制御部１５４は、１枚の印刷用紙を繰り返し使用する場合、図１２（ｂ）に示した分割製版済みマスタを用いて、版胴１２の１回転に対して表面画像及び裏面画像のいずれかの画像を印刷用紙の一方の面上に印刷するよう各部を制御する。そして、インキ調整制御部１５４は、Ｓ１００６の処理において取得した枚数分の印刷用紙それぞれの一方の面上に表面画像及び裏面画像のいずれかの画像を印刷するよう各部を制御する。
【０１０５】
表面画像及び裏面画像のいずれかの画像が印刷された用紙が再び給紙トレイ６７にセットされると、インキ調整制御部１５４は、画像が印刷された印刷用紙の同一面上に表面画像及び裏面画像のいずれかの画像を印刷するよう同様に制御する。インキ調整制御部１５４は、Ｓ１００１の処理において算出された枚数分の印刷回数になるまで、この処理を繰り返す。また、この処理において、インキ調整制御部１５４は、表面画像及び裏面画像の印刷回数が均等になるよう制御する。
【０１０６】
次に、図１３を参照して、図９に示した両面インキ調整モードによるインキ調整処理（Ｓ９０９）の動作の詳細を説明する。また、図１３に示すフローチャートにおいては、製版領域を変更し（Ｓ９０４／ＹＥＳ）、繰り返し製版を実行する（Ｓ９０５／ＹＥＳ）場合の動作を例として説明する。図１３に示すように、インキ調整制御部１５４は、図１０に示したＳ１００１〜Ｓ１００５までの処理と同様の処理を行う（Ｓ１３０１〜Ｓ１３０５）。
【０１０７】
両面インキ調整モードにおいては、図９に示したＳ９０６の処理において設定された回数の製版が行われるので、例えば、製版回数が３回の場合、３つのマスタが製版される。図１４は、１回通紙用の製版画像を含む分割製版済みマスタを例示し、図１５は、繰り返し通紙用の製版画像を含む分割製版済みマスタを例示する図である。図１４及び図１５においては、ドットでハッチングされている領域にインキが付着するものとする。
【０１０８】
図１４及び図１５に示すように、例えば、Ｓ９０６の処理において設定された製版回数が３回である場合、それぞれ３つのマスタが製版される。例えば、図１３に示したＳ１３０４の処理により、図１４（ａ）のマスタが製版され、Ｓ１３０５の処理により、図１５（ａ）のマスタが製版される。
【０１０９】
図１４（ａ）に示すように、１枚の印刷用紙を１回通紙する場合、製版画像全体がインキを付着させる領域である。一方、図１５（ａ）に示すように、１枚の印刷用紙を繰り返し通紙する場合、製版画像において、インキを付着させない領域（図１５（ａ）の白抜きの領域）が含まれる。
【０１１０】
そして、インキ調整制御部１５４は、片面インキ調整モードによるインキ調整を実行する（Ｓ１３０６）。具体的には、インキ調整制御部１５４は、１枚の印刷用紙を繰り返し使用しない場合、図１４（ａ）に示した分割製版済みマスタを用いて、表面画像及び裏面画像のいずれかの画像を印刷用紙の一方の面上に印刷するよう各部を制御する。
【０１１１】
そして、インキ調整制御部１５４は、所定枚数分の印刷用紙それぞれの一方の面上に表面画像及び裏面画像のいずれかの画像を均等に印刷するよう各部を制御することを繰り返す。なお、所定枚数は、例えば、Ｓ１３０１の処理において算出された用紙枚数をＳ９０６の処理において設定された製版回数で割った数である。すなわち、各版において印刷される枚数は均等である。しかしながら、所定枚数の算出方法は一例であり、その他、所定枚数は、例えば、最初の版ほど印刷枚数が多くなるように算出されてもよい。
【０１１２】
一方、インキ調整制御部１５４は、１枚の印刷用紙を繰り返し使用する場合、図１５（ａ）に示した分割製版済みマスタを用いて、表面画像及び裏面画像のいずれかの画像を１枚の印刷用紙の一方の面上に印刷するよう各部を制御する。そして、表面画像及び裏面画像のいずれかの画像が印刷された用紙が再び給紙トレイ６７にセットされると、インキ調整制御部１５４は、画像が印刷された印刷用紙の同一面上に表面画像及び裏面画像のいずれかの画像を印刷するよう同様に制御する。
【０１１３】
インキ調整制御部１５４は、上述した所定枚数分の印刷回数になるまで、この処理を繰り返す。また、この処理において、インキ調整制御部１５４は、表面画像及び裏面画像の印刷回数が均等になるよう制御する。
【０１１４】
なお、本実施形態においては、１つのマスタにつき１枚の印刷用紙を繰り返し使用する場合を例として説明した。しかしながら、これは一例であり、図１０に示したＳ１００６の処理と同様に、インキ調整制御部１５４は、使用する印刷用紙の枚数を取得し、上述した所定枚数分の印刷回数になるまで、上述の処理を繰り返してもよい。
【０１１５】
片面インキ調整を実行したインキ調整制御部１５４は、図９に示したＳ９０８の処理において取得した切替版数分の版に基づく処理が終了したか否かを判定する（Ｓ１３０７）。切替版数分の版に基づく処理が終了していない場合（Ｓ１３０７／ＮＯ）、インキ調整制御部１５４は、製版制御部１５５を介して、新たなマスタの製版を制御する（Ｓ１３０８）。
【０１１６】
１枚の印刷用紙を１回通紙する場合、インキ調整制御部１５４は、例えば、図１４（ｂ）に示した新たなマスタが製版される。一方、１枚の印刷用紙を繰り返し通紙する場合、図１５（ｂ）に示した新たなマスタが製版される。また、製版画像の先端余白は徐々に狭くなるようマスタが製版され、図１４（ｂ）（図１５（ｂ））に示した２版目のマスタの製版画像の先端余白は、図１４（ａ）（図１５（ａ））に示した１版目のマスタの製版画像の先端余白よりも狭い。このように、先に印刷に用いられる版ほど用紙の搬送方向の先端側の余白が広くなるよう複数のマスタが製版される。
【０１１７】
また、本実施形態においては、製版画像の印字率を高くするようマスタが製版され、図１４（ｂ）（図１５（ｂ））に示した２版目のマスタの製版画像の印字率は、図１４（ａ）（図１５（ａ））に示した１版目のマスタの製版画像の印字率よりも高い。このように、先に印刷に用いられる版ほど印刷対象となる領域における印字率が低くなるよう複数のマスタが製版される。新たなマスタの製版を制御したインキ調整制御部１５４は、新たなに製版されたマスタを用いて、片面インキ調整モードによるインキ調整を実行する（Ｓ１３０６）。
【０１１８】
一方、切替版数分の版に基づく処理が終了した場合（Ｓ１３０７／ＹＥＳ）、インキ調整制御部１５４は、両面インキ調整モードによるインキ調整を実行する（Ｓ１３０９）。具体的には、インキ調整制御部１５４は、１枚の印刷用紙を繰り返し使用しない場合、図１４（ｃ）に示した分割製版済みマスタを用いて、印刷用紙の一方の面上に表面画像を印刷し、他方の面上に裏面画像を印刷するよう各部を制御する。
【０１１９】
一方、インキ調整制御部１５４は、１枚の印刷用紙を繰り返し使用する場合、図１５（ｃ）に示した分割製版済みマスタを用いて、印刷用紙の一方の面上に表面画像を印刷し、他方の面上に裏面画像を印刷するよう各部を制御する。なお、最後の版に基づく印刷においては、未使用の用紙を使用する場合、図１５（ｃ）に示すように、製版画像全体がインキを付着させる領域である。未使用の用紙を使用しない場合は、最終版においても、製版画像において、インキを付着させない領域が含まれるものとする。
【０１２０】
なお、図１４（ｃ）（図１５（ｃ））に示した３版目のマスタの製版画像の先端余白は、図１４（ｂ）（図１５（ｂ））に示した２版目のマスタの製版画像の先端余白よりも狭い。また、図１４（ｃ）（図１５（ｃ））に示した３版目のマスタの製版画像の印字率は、図１４（ｂ）（図１５（ｂ））に示した２版目のマスタの製版画像の印字率よりも高い。
【０１２１】
以上説明したように、本実施形態に係る両面孔版印刷装置１は、インキの粘度を調整するに際して、搬送部と接する用紙の領域にインキを付着させないマスタを製版し、このマスタを用いて、１枚の印刷用紙の同一面上に少なくとも２回以上画像を印刷する。これにより、両面孔版印刷装置においてインキ調整のための捨て印刷を行う際に、使用する印刷用紙の枚数をより軽減しつつ、印刷用紙表面に転移されたインキによる用紙搬送路の汚れを防止することが可能になる。
【０１２２】
なお、本実施形態において、環境センサ１３５が検知する環境状態に応じて、ユーザに１枚の印刷用紙の繰り返しの使用を許可するか否かを確認するようにしてもよい。図１６は、環境状態に応じてユーザに印刷用紙の使用を許可するか否かを確認する場合のインキ調整制御部１５４の動作を例示するフローチャートである。なお、図１６に示したフローチャートは、図１０に示したフローチャートに環境状態に応じた動作が追加された構成であるが、図１３に示したフローチャートについても同様である。
【０１２３】
図１６に示すように、インキ調整制御部１５４は、図１０に示したＳ１００１〜Ｓ１００３と同様な処理を行う（Ｓ１６０１〜Ｓ１６０３）。繰り返し使用することが選択された場合（Ｓ１６０３／ＹＥＳ）、インキ調整制御部１５４は、センサ情報取得部１５２から入力された環境センサ１３５により検知された環境情報を取得する（Ｓ１６０４）。環境情報は、両面孔版印刷装置１における用紙の給排紙性能に影響を及ぼす温度や湿度等の環境状態を示す。
【０１２４】
環境情報を取得したインキ調整制御部１５４は、取得した環境情報が所定の環境条件を満たす否かを判定する（Ｓ１６０５）。具体的には、例えば、インキ調整制御部１５４は、取得した環境情報が示す湿度や温度が、所定の湿度や温度よりも高い場合に、所定の環境条件を満たすと判定する。
【０１２５】
環境条件を満たす場合（Ｓ１６０５／ＹＥＳ）、インキ調整制御部１５４は、操作表示制御部１４３を介して、印刷用紙の繰り返し使用を許可するか否かを選択するための選択画面を操作パネル２００に表示する（Ｓ１６０６）。両面孔版印刷装置１内や周囲の環境が高温高湿状態である場合、印刷用紙が給水し、給排紙性能が劣化するため給排紙に関する不具合が起こりやすくなる。そのため、印刷済の用紙を繰り返し給排紙するとより不具合が起こりやすくなることから、印刷用紙の繰り返しの使用を許可するか否かをユーザに確認するために、インキ調整制御部１５４は、上述の選択画面を操作パネル２００に表示する。
【０１２６】
図１７は、印刷用紙の繰り返し使用を許可するか否かの選択画面を例示する図である。なお、図１７は、操作パネル２００のうち液晶表示部２０２とキー２０３〜２０６を示す。図１７に示すように、液晶表示部２０２には、装置の環境が印刷用紙を繰り返し使用する条件を満たしていない旨のメッセージと、印刷用紙の繰り返し使用を許可するか否かを確認する旨のメッセージと、「許可する」及び「許可しない」の項目とが表示されている。図１７に示す画面においては、ユーザによりキー２０３が押下されると、印刷用紙の繰り返し使用を許可することが選択され、ユーザによりキー２０４が押下されると、印刷用紙の繰り返し使用を許可しないことが選択される。
【０１２７】
繰り返し使用を許可しないことが選択された場合（Ｓ１６０７／ＮＯ）、インキ調整制御部１５４は、Ｓ１００４の処理と同様の処理を行う（Ｓ１６０８）。一方、繰り返し使用を許可することが選択された場合（Ｓ１６０７／ＹＥＳ）、インキ調整制御部１５４は、Ｓ１００５の処理と同様の処理を行う（Ｓ１６０９）。また、環境条件を満たさない場合（Ｓ１６０５／ＮＯ）、インキ調整制御部１５４は、Ｓ１００５の処理と同様の処理を行う（Ｓ１６０９）。以降、インキ調整制御部１５４は、図１０に示したＳ１００４以降の処理又はＳ１００５以降の処理と同様な処理を行う。
【０１２８】
このような構成により、両面孔版印刷装置１の環境状態に応じて、ユーザに対して印刷用紙の繰り返しの使用を警告し、印刷用紙の繰り返しの使用による給排紙の不具合を未然に回避しやすくすることが可能になる。なお、インキ調整制御部１５４は、環境情報が環境条件を満たさない場合に、ユーザによる使用可否の選択を受け付けることなく、印刷用紙の繰り返し使用を禁止するようにしてもよい。
【０１２９】
また、本実施形態において、両面孔版印刷装置１は、給紙ローラ６８等の搬送部と接する用紙の領域にインキが付着しないようマスタを製版する場合を例として説明した。その他、用紙搬送の際に用紙と接する部分がある場合、両面孔版印刷装置１は、例えば、図１８に示すように、その部分の副走査方向の領域にもインキが付着しないようマスタを製版する。
【０１３０】
また、本実施形態において、１つの版の製版画像は同じ印字率である場合を例として説明した。その他、１つの版の製版画像において、印刷用紙が最初に版胴１２から剥がれる側（すなわち、印刷用紙の先端側）の印字率が、印刷用紙の後端側の印字率よりも低くなるようにしてもよい。
【０１３１】
図１９は、印刷用紙の先端側の印字率が後端側の印字率よりも低い製版画像を含む分割製版済みマスタを例示する図である。図１９（ａ）は、１回通紙用の製版画像を含む分割済マスタであり、図１９（ｂ）は、繰り返し通紙用の製版画像を含む分割製版済みマスタである。図１９に示すように、用紙の搬送方向の先端から予め定められた位置までの印刷対象の領域における印字率が、用紙の他の印刷対象の領域における印字率よりも低くなっている。
【０１３２】
このような構成により、印刷用紙が最初に版胴１２から剥がれる側のインキ付着量が少なくなるので、版胴１２と印刷用紙との貼り付き力が大きくなり、用紙搬送不良が発生することを防止することが可能になる。なお、図１９に示した印字率の異なる製版画像は、例えば、経過時間計測部１５３により計測された経過時間に応じて生成される。
【０１３３】
また、本実施形態において、インキ調整制御部１５４は、１枚の印刷用紙の同一面上に複数回画像を印刷する場合、印刷回数に応じて印刷速度を変更するようにしてもよい。１枚の印刷用紙の同一面上に複数回画像を印刷する場合、印刷用紙の面にはすでにインキが付着しているので、印刷回数が多くなるほど排紙性能が悪くなり、排紙不良や排紙不揃いが発生する場合がある。
【０１３４】
そこで、インキ調整制御部１５４は、例えば、１枚の印刷用紙の同一面上への印刷回数が多くなるほど、印刷速度が遅くなるよう各部を制御する。このような構成により、排紙不良や排紙不揃いの発生を防止することが可能になる。なお、印刷速度は、例えば経過時間計測部１５３により計測された経過時間に応じて算出される。その他、印刷速度は、例えば両面孔版印刷装置１において使用されるインキの種類に応じて算出されてもよい。また、インキ調整制御部１５４は、ユーザの設定により、印刷速度の制御を行わないようにしてもよい。
【０１３５】
また、本実施形態に係る両面インキ調整モードにおけるインキ調整処理においては、製版領域を変更する場合を例として説明した。製版領域を変更しない場合、図１４及び図１５に示した各版における製版画像の領域は同一である。また、本実施形態においては、各版における製版画像の印字率を徐々に高くする場合を例として説明した。しかしながら、このような構成は必須ではなく、各版における製版画像の印字率が同一であっても、使用する印刷用紙の枚数をより軽減しつつ、印刷用紙表面に転移されたインキによる用紙搬送路の汚れを防止することは可能である。
【符号の説明】
【０１３６】
１  両面孔版印刷装置
２  印刷部
３  製版部
４  給紙部
５  排版部
６  排紙部
７  画像読取部
８  補助トレイ
９  再給紙部
１０  切替部
１２  版胴
１３  プレスローラ
６４  マスタ
６５  分割製版済みマスタ
１２１  ＣＰＵ
１２２  ＲＡＭ
１２３  ＲＯＭ
１２４  ＨＤＤ
１２５  Ｉ／Ｆ
１２６  ＬＣＤ
１２７  操作部
１２８  バス
１４０  コントローラ
１４１  駆動制御部
１４２  センサ制御部
１４３  操作表示制御部
１５０  主制御部
１５１  設定情報取得部
１５２  センサ情報取得部
１５３  経過時間計測部
１５４  インキ調整制御部
１５５  製版制御部
２００  操作パネル
【先行技術文献】
【特許文献】
【０１３７】
【特許文献１】特開平９−１７４９９２号公報
【図１】
2016221776.tif 000003
【図２】
2016221776.tif 000004
【図３】
2016221776.tif 000005
【図４】
2016221776.tif 000006
【図５】
2016221776.tif 000007
【図６】
2016221776.tif 000008
【図７】
2016221776.tif 000009
【図８】
2016221776.tif 000010
【図９】
2016221776.tif 000011
【図１０】
2016221776.tif 000012
【図１１】
2016221776.tif 000013
【図１２】
2016221776.tif 000014
【図１３】
2016221776.tif 000015
【図１４】
2016221776.tif 000016
【図１５】
2016221776.tif 000017
【図１６】
2016221776.tif 000018
【図１７】
2016221776.tif 000019
【図１８】
2016221776.tif 000020
【図１９】
2016221776.tif 000021